(57)【特許請求の範囲】
【請求項１】
２次元表示装置を備えた無線通信装置であって、
２次元表示装置の画面に対する所定操作の第１方向における移動方向に応じて、運用周波数を変化させる方向を決定し、
前記２次元表示装置の画面は、前記第１の方向に直交する第２方向において複数の領域に分割されており、各領域ごとに異なる値のチューニングステップ数が設定されており、前記第２方向における前記所定操作の最初の位置に応じて、運用周波数を変化させるチューニングステップ数を決定し、
前記第１の方向における前記所定操作の移動量と前記チューニングステップ数に基づいて、運用周波数の変化量を決定する、
ことを特徴とする無線通信装置。
【請求項２】
前記チューニングステップ数は、前記第２方向において、前記２次元表示装置の画面に対して最初に前記所定操作が行われた位置に応じて最初に決定された値に固定されることを特徴とする請求項１に記載の無線通信装置。
【請求項３】
前記チューニングステップ数は、前記第２方向において、前記２次元表示装置の画面に対して前記所定操作が行われている間、所定時間間隔で、前記所定操作が行われている位置に応じて、再決定されることを特徴とする請求項１に記載の無線通信装置。
【請求項４】
前記第２方向における前記所定操作の移動方向を特定し、その移動方向が、前記運用周波数を微調整から粗調整に変化させる方向であるときは、前記第２方向における前記所定操作の移動を無視することを特徴とする請求項１乃至請求項３のいずれか一項に記載の無線通信装置。
【請求項５】
前記２次元表示装置は、表面に透明なタッチパネルを備えた液晶表示装置であって、前記所定操作は、ユーザの指による前記タッチパネルへの接触操作であることを特徴とする請求項１乃至請求項４のいずれか一項に記載の無線通信装置。
【請求項６】
前記所定操作は、前記無線通信装置の外部制御端子に接続された入力装置の所定の部位を操作することであることを特徴とする請求項１乃至請求項４のいずれか一項に記載の無線通信装置。
【請求項７】
２次元表示装置を用いた無線通信装置の運用周波数調節方法であって、
２次元表示装置の画面に対する所定操作の第１方向における移動方向に応じて、運用周波数を変化させる方向を決定し、
前記２次元表示装置の画面は、前記第１の方向に直交する第２方向において複数の領域に分割されており、各領域ごとに異なる値のチューニングステップ数が設定されており、前記第２方向における前記所定操作の最初の位置に応じて、運用周波数を変化させるチューニングステップ数を決定し、
前記第１の方向における前記所定操作の移動量と前記チューニングステップ数に基づいて、運用周波数の変化量を決定する、
ことを特徴とする無線通信装置の運用周波数調節方法。
【発明の詳細な説明】
【技術分野】
【０００１】
本発明は、表示装置として液晶表示装置などの２次元表示装置を備えた電子機器、より具体的には、操作装置及び表示装置としてタッチパネル液晶表示装置を備えた無線通信装置、及び２次元表示装置を用いた無線通信装置の運用周波数調節方法に関する。
【背景技術】
【０００２】
アマチュア無線の分野において使用される無線通信装置では、ダイヤルを回転させて運用周波数を調節するという独特のフィーリングを尊重するため、運用周波数を調節する手段としてキースイッチやタッチパネル式の液晶表示装置が主流となった現在でも、ダイヤル式の操作装置が用いられているものもある。このようなダイヤル式の操作装置は、ロータリーエンコーダに結合されており、ダイヤルが所定角度回転されるごとにパルス信号を発生させ、発生されたパルス数に応じて運用周波数を変化させている。ダイヤル式の操作装置を用いて運用周波数の粗・微調整を行うために、別途粗・微調整を切り換えるスイッチが設けられており、スイッチのオンオフなどに応じて、ロータリーエンコーダから出力されるパルス信号の１パルス当たりの周波数の変化量を変えている。すなわち、粗・微調整を切り換えるために、別のスイッチが必要である。なお、このようなロータリーエンコーダに結合されたダイヤル式操作装置は、例えば電子制御式ガス器具などの他の電子機器においても使用されており、ガスの噴出量（物理量）の粗・微調整を行うために、ダイヤルの他に別途粗・微調整切替スイッチが設けられている。
【０００３】
一方、特許文献１に記載された無線通信装置では、操作装置として、表面に透明なタッチパネルを備えた液晶表示装置（以下、「タッチパネル液晶表示装置」とする）が用いられている。そして、タッチパネル上を押圧しながら右方向に指を移動させれば、最初に指で押さえた位置に対応する周波数よりも高い周波数帯域がスキャンされ、左方向に指を移動させれば、最初に指で押さえた位置に対応する周波数よりも低い周波数帯域がスキャンされる。また、同様の操作でバンドスコープ表示が可能である。なお、静的押圧時間が所定時間以上であると運用周波数を拡大表示させることも開示されているが、運用周波数の粗・微調整に関する言及はない。
【０００４】
また、特許文献２に記載された無線通信装置では、この無線通信装置の外部制御端子にマウスを接続し、液晶表示装置の画面上に表示されたダイヤル状のアイコンを操作することによって、運用周波数の調整を行う。運用周波数の粗・微調整を切り換えるためには、マウスを操作してダイヤル状のアイコンを拡大・縮小する。ダイヤル状のアイコンの半径の大きさに応じて、運用周波数の粗・微調整のステップが変化される。
【先行技術文献】
【特許文献】
【０００５】
【特許文献１】特開２０１２−６５１３６号公報
【特許文献２】実登３０２１０７７号
【発明の概要】
【発明が解決しようとする課題】
【０００６】
特許文献１に記載された無線通信装置では、どのようにして運用周波数の粗・微調整を行うのか不明である。また、特許文献２に記載された無線通信装置では、マウスを操作してダイヤル状のアイコンを拡大・縮小することによって運用周波数の粗・微調整を行っているので、操作は比較的簡単であるが、操作が直感的でない。
【０００７】
本発明は、上記従来例の問題を解決するためになされたものであり、表示装置として、タッチパネル液晶表示装置などの２次元表示装置を備えた無線通信装置において、その２次元表示装置の画面を指で操作するだけで又はその２次元表示装置の画面上に表示されたカーソルを移動させるだけで、簡単に運用周波数の粗・微調整を可能にすることを目的とする。また、本発明は、タッチパネルなどの２次元表示装置を用いた無線通信装置の運用周波数調節方法を提供することを目的とする。
【課題を解決するための手段】
【０００８】
上記目的を達成するために本発明に係る２次元表示装置を備えた無線通信装置は、
２次元表示装置の画面に対する所定操作の第１方向における移動方向に応じて、運用周波数を変化させる方向を決定し、
前記２次元表示装置の画面は、前記第１の方向に直交する第２方向において複数の領域に分割されており、各領域ごとに異なる値のチューニングステップ数が設定されており、前記第２方向における前記所定操作の最初の位置に応じて、運用周波数を変化させるチューニングステップ数を決定し、
前記第１の方向における前記所定操作の移動量と前記チューニングステップ数に基づいて、運用周波数の変化量を決定する、
ことを特徴とする。
【０００９】
また、前記チューニングステップ数は、前記第２方向において、前記２次元表示装置の画面に対して最初に前記所定操作が行われた位置に応じて最初に決定された値に固定されるようにしてもよい。
【００１０】
または、前記チューニングステップ数は、前記第２方向において、前記２次元表示装置の画面に対して前記所定操作が行われている間、所定時間間隔で、前記所定操作が行われている位置に応じて、再決定されるようにしてもよい。
【００１１】
また、前記第２方向における前記所定操作の移動方向を特定し、その移動方向が、前記運用周波数を微調整から粗調整に変化させる方向であるときは、前記第２方向における前記所定操作の移動を無視するようにしてもよい。
【００１２】
前記２次元表示装置は、表面に透明なタッチパネルを備えた液晶表示装置であって、前記所定操作は、ユーザの指による前記タッチパネルへの接触操作であるようにしてもよい。
【００１３】
または、前記所定操作は、前記無線通信装置の外部制御端子に接続された入力装置の所定の部位を操作することであるようにしてもよい。
【００１４】
また、本発明に係る２次元表示装置を用いた無線通信装置の運用周波数調節方法であって、
２次元表示装置の画面に対する所定操作の第１方向における移動方向に応じて、運用周波数を変化させる方向を決定し、
前記２次元表示装置の画面は、前記第１の方向に直交する第２方向において複数の領域に分割されており、各領域ごとに異なる値のチューニングステップ数が設定されており、前記第２方向における前記所定操作の最初の位置に応じて、運用周波数を変化させるチューニングステップ数を決定し、
前記第１の方向における前記所定操作の移動量と前記チューニングステップ数に基づいて、運用周波数の変化量を決定する、
ことを特徴とする。
【発明の効果】
【００１５】
本発明によれば、運用周波数の変化量として、２次元表示装置の画面に対する所定操作、例えばユーザの指の接触操作や外部入力装置によるカーソルの移動などの移動方向に応じて、運用周波数を変化させる方向を決定し、第２方向（縦方向）における所定操作の位置に応じて、運用周波数を変化させるチューニングステップ数を決定し、第１の方向における所定操作の移動量とチューニングステップ数に基づいて、運用周波数の変化量を決定しているので、指やカーソルを移動といった極めて簡単な操作により、運用周波数の粗・微調整を行うことができる。また、運用周波数以外の物理量の調整についても同様である。
【図面の簡単な説明】
【００１６】
【図１】本発明の一実施形態に係る２次元表示装置を備えた無線通信装置の構成を示すブロック図。
【図２】上記無線通信装置のタッチパネル液晶表示装置の画面の一例を示す図。
【図３】上記タッチパネル液晶表示装置の画面の操作領域を第２方向（縦方向）に複数に分割した状態を示す図。
【図４】運用周波数を粗調整する際のユーザによる指の動作の一例を示す図。
【図５】運用周波数を微調整する際のユーザによる指の動作の一例を示す図。
【図６】運用周波数を微調整する際のユーザによる指の動作の他の一例を示す図。
【図７】運用周波数の粗調整と微調整を続けて行う際のユーザによる指の動作の一例を示す図。
【図８】運用周波数の粗調整と微調整を続けて行う際のユーザによる指の動作の他の一例を示す図。
【図９】タッチパネルの代わりに通常の液晶表示装置とマウスなどの入力装置を用い、画面上で指の代わりにカーソルを移動させる場合の動作の一例を示す図。
【図１０】上記無線通信装置における運用周波数の粗・微調整動作を示すフローチャート。
【発明を実施するための形態】
【００１７】
本発明の一実施形態に係る２次元表示装置を備えた無線通信装置について説明する。図１は、この実施形態に係る無線通信装置１の基本的な構成を示すブロック図である。図１に示すように、無線通信装置１は、他の無線通信装置２との間で交信を行う通信部１１と、所定の制御プログラムなどが記録された記憶部１２と、通信部１１における運用周波数の変更指示などを行う制御部１３と、他の無線通信装置２との間で交信を行うためのマイクロホン１４及びスピーカ１５と、運用周波数などを表示する表示部１６と、ユーザによって操作され、運用周波数の変更などを入力するための操作部１７と、電源１８などを備えている。また、必要に応じて、この無線通信装置１の外部制御端子にマウスなどの外部入力装置１９が接続されていてもよい。
【００１８】
この実施形態では、表示部１６及び操作部１７として、表面に透明なタッチパネルを備えた液晶表示装置（以下、「タッチパネル液晶表示装置」とする）を用いている。タッチパネルとしては、抵抗膜方式や静電容量方式など、様々な構造を採ることができ、特に限定されるものではなく、タッチパネル液晶表示装置の画面上に触れられたユーザの指の第１方向（横方向）における位置及び第２方向（縦方向）における位置、移動方向及び移動距離が特定できればよい。
【００１９】
アマチュア無線の分野で使用される無線通信装置は、運用周波数を所定の周波数帯域で自由に設定することができる。そのため、この無線通信装置１は、表示部１６の画面上に、所定の周波数帯域における受信状況を表すために、所定の周波数帯域における受信信号強度を示す、いわゆるスペクトラムスコープ表示や、受信信号強度を時系列に沿って表す、いわゆるウォーターフォール表示を行うことができる。スペクトラムスコープ表示などは一定の面積を必要とするため、上記のようにタッチパネル液晶表示装置（２次元表示装置）が用いられる。
【００２０】
図２は、タッチパネル液晶表示装置の画面の一例を示す。タッチパネル液晶表示装置の画面２０の左辺２１及び下辺２２に沿って、複数の操作ボタンを模したアイコン（以下、「操作ボタン」とする）２３が配列されている。ユーザが、これらの操作ボタン２３の領域を指で触れることにより、その操作ボタン２３に割り当てられた機能が選択される。タッチパネル液晶表示装置の画面２０のうち、これらの操作ボタン２３を除いた残りの矩形の表示領域２４には、受信信号の強度などを表すアナログメータを模したアイコン（以下、「アナログメータ」とする）２５、現在選択されている運用周波数の数値表示２６、スペクトラムスコープ画像２７などが表示されている。また。現在選択されている運用周波数は、スペクトラムスコープ画像２７の中央に位置している。
【００２１】
この無線通信装置１では、運用周波数の変更及び粗・微調整の切り換えを、タッチパネル液晶表示装置の画面２０上で行うように構成されている。上記表示領域２４にはアイコンは配置されていないので、この表示領域２４に対向するタッチパネルのうち、スペクトラムスコープ２７が表示されている部分を操作領域３０として用いて、運用周波数の変更及び粗・微調整の切り換えを行う。具体的には、図３に示すように、操作領域３０を、さらに第１方向（横方向）及び第２方向（縦方向）に複数に分割する。例えば、操作領域３０を第１方向に１０００分割、第２方向に５分割する。図３では、第１方向の分割は細かすぎるので分割線は図示せず、第２方向の分割線のみを図示している。
【００２２】
第２方向に５つに分割された操作領域３０の各領域には、運用周波数を変化させる際に、粗調整又は微調整を行うために、それぞれ異なる値のチューニングステップ数が設定されている。この実施形態では、第２方向の最も上の領域３１から最も下の領域３５に至るまで、順にチューニングステップ数が少なくなるように設定されている。例えば、最も上の領域３１にはチューニングステップ数として１／１が設定され、以下順に１／２、１／３、１／４、１／５が設定されている。これらの値は、例えば記憶部１２にルックアップテーブルとして記憶されている。
【００２３】
タッチパネルでは、第１方向（横方向）及び第２方向（縦方向）におけるユーザの指が接触している位置の座標を検出することができる。図１０は、この実施形態における運用周波数の粗・微調整動作を示すフローチャートである。制御部１３は、この指の接触位置を所定時間間隔（例えば数マイクロ秒間隔）で検出することにより（＃１）、指の最初の接触位置、移動方向及び移動量を知ることができる（＃２、＃３、＃４）。例えば、第１方向において、指が画面左から右に移動したとすると、運用周波数を現在の運用周波数から高くする方向に変化させ、指が画面右から左に移動したとすると、運用周波数を現在の運用周波数から低くする方向に変化させる。また、運用周波数の変化量は、第１方向における指の移動量に比例させている。上記のように、各領域３１〜３５が第１方向に１０００分割されているとすると、最大１０００区画分の移動を検出することができる。制御部１３は、第１方向における指の移動量（移動区画数）に、第２方向における指の最初の接触位置から決定したチューニングステップ数を掛けた値だけ、周波数を変化させる（＃５、＃６）。例えば、図４に示すように、最初に指が接触した領域が最も上の領域３１であり、画面左から右に指が３０区画分移動したとすると、制御部１３は、通信部１１に対して運用周波数を３０Ｈｚ（３０×１／１Ｈｚ）高くするように指示を出す。また、図５に示すように、最初に指が接触した領域が下から２番目の領域３４であり、画面右から左に指が５００区画分移動したとすると、制御部１３は、通信部１１に対して運用周波数を１２５Ｈｚ（５００×１／４Ｈｚ）低くするように指示を出す。なお、ユーザによって、タッチパネル上の指の移動速度は様々である。図１０に示すフローチャートは、ユーザによる指の移動速度が遅い場合を考慮して、運用周波数が変更された後も、ユーザがタッチパネルを指で触り続けている場合に、運用周波数を連続して変更できるように構成している（＃７）。
【００２４】
ところで、ユーザが、指を第１方向に対して平行に、すなわち水平に移動させるとは限らず、図６に示すように、斜めに移動させる場合もありうる。この場合は、第２方向において、チューニングステップ数が粗くなる方向に指が移動しているので、ユーザが意図している以上に運用周波数が大きく変化されるのを防止するため、第２方向における指の移動を無視しても構わない。第２方向における指の移動を無視する場合であって、ユーザが運用周波数の粗調整と微調整を続けて行いたい場合は、粗調整を行った後、一旦指を離し、改めて指を別の位置に接触させて微調整を行う。
【００２５】
一方、ユーザによっては、運用周波数の粗調整と微調整を１回の操作で行いたいこともある。そこで、制御部１３は、所定時間間隔で、第２方向における指の位置を検出し、そのときの指の位置に応じてチューニングステップ数を再決定するようにしてもよい。例えば図７に示すように、ユーザが、最も上の領域３１を第１方向に指を移動させ、次に、最も上の領域３１から下から２番目の領域３４に向けて指を第２方向に移動させ、さらに下から２番目の領域３４を第１方向に指を移動させた場合、チューニングステップ数は、１／１と１／４の２回切り換えられる。一方、図８に示すように、ユーザが、最も上の領域３１から下から２番目の領域３４に向けて指を斜めに移動させた場合、チューニングステップ数は、１／１、１／２、１／３、１／４の４回切り換えられる。
【００２６】
この実施形態においては、運用周波数の変化量として、タッチパネルの操作領域３０上の第１の方向（横方向）におけるユーザの指の移動方向に応じて、現在の運用周波数から運用周波数を変化させる方向を決定し、第２方向（縦方向）におけるユーザの指の位置に応じて、運用周波数を変化させるチューニングステップ数を決定し、第１の方向における指の移動量とチューニングステップ数に基づいて、運用周波数の変化量を決定しているので、ユーザがタッチパネル上で指を移動させるという極めて簡単な操作により、運用周波数の粗・微調整を行うことができる。
【００２７】
なお、運用周波数の変化量は、必ずしも上記のように演算によって決定する必要はなく、第１方向における指の移動量と第２方向における指の位置に基づいて、あらかじめ記憶部１２に設けられているルックアップテーブルを参照して、決定してもよい。また、操作領域３０としては、スペクトラムスコープ２７が表示されている部分だけに限定されず、アナログメータ２５や運用周波数の数値表示２６などが表示されている部分も含むように拡大してもよい。さらに、操作領域３０の第１方向及び第２方向の分割数やチューニングステップ数の値は、あくまでも一例であって、これ以外の数値であってもよい。また、操作領域３０の分割方法は、第１の方向を縦方向、第２の方向を横方向としてもよい。
【００２８】
また、表示部（２次元表示装置）１６としては、上記タッチパネル液晶表示装置に限定されるものではなく、表面に透明なタッチパネルを備えていない液晶表示装置や、プラズマディスプレイ装置、有機ＥＬパネルなど、薄型の２次元表示装置であってもよい。その場合、操作部１７としては、この無線通信装置１の外部制御端子に接続された、マウス、キーボード、ジョイスティックなどの入力装置１９を使用する。図９は、操作領域３０に対応する位置にカーソルを表示した例を示す。例えば、ユーザによるマウスの左ボタンクリックなどの入力装置１９の所定の部位を操作しつつ、表示部（２次元表示装置）１６の画面上に表示されたカーソルを第１方向及び第２方向に移動させることにより、指による上記タッチパネル操作と同様に、カーソルの第１方向における位置及び第２方向における位置、移動方向及び移動距離を特定することができる。
【符号の説明】
【００２９】
１  無線通信装置
２  他の無線通信装置
１１  通信部
１３  制御部
１６  表示部
１７  操作部
１９  外部入力装置
２０  画面
２４  表示領域
２７  スペクトラムスコープ画像
３０  操作領域
３１〜３５  操作領域の第２方向（縦方向）に分割された各領域
【図１】
0006467846.tif 000002
【図２】
0006467846.tif 000003
【図３】
0006467846.tif 000004
【図４】
0006467846.tif 000005
【図５】
0006467846.tif 000006
【図６】
0006467846.tif 000007
【図７】
0006467846.tif 000008
【図８】
0006467846.tif 000009
【図９】
0006467846.tif 000010
【図１０】
0006467846.tif 000011